(57)【特許請求の範囲】
【請求項１】
内部に製パン材料を収容するパンケースと、開口部を介して内部に前記パンケースを収容する本体と、前記パンケース内において底部から上方に突出する回転軸に一体的に取付けられ、当該回転軸周りで回転して前記製パン材料を混練する混練羽根とを備え、
前記製パン材料が水、小麦粉、イーストを含み、少なくとも前記水、前記小麦粉、前記イーストの順で前記パンケース内に投入された前記製パン材料を、前記混練羽根により混練する製パン機であって、
前記製パン材料が、更に、炊飯米を含み、
前記炊飯米が前記小麦粉の投入後であって前記イーストの投入前に前記パンケース内に投入され、前記パンケースの底部から上方に向かって前記水、前記小麦粉、前記炊飯米、前記イーストの順で積層された積層状態で、前記パンケース内に配設された前記混練羽根の上端が、前記積層状態にある前記小麦粉と当該小麦粉の上方に積層された前記炊飯米との境界面よりも上側に位置するように構成されてなる製パン機。
【請求項２】
前記パンケース内に、前記水、前記小麦粉のうちの一部、前記炊飯米、前記小麦粉のうちの残りの他部、前記イーストの順で投入され、前記積層状態として、前記パンケースの底部から上方に向かって前記水、前記小麦粉のうちの一部、前記炊飯米、前記小麦粉のうちの残りの他部、前記イーストの順で積層され、前記パンケース内に配設された前記混練羽根の上端が、少なくとも前記水と前記小麦粉のうちの一部との境界面よりも上側に位置するように構成されてなる請求項１に記載の製パン機。
【請求項３】
内部に製パン材料を収容するパンケースと、開口部を介して内部に前記パンケースを収容する本体と、前記パンケース内において底部から上方に突出する回転軸に一体的に取付けられ、当該回転軸周りで回転して前記製パン材料を混練する混練羽根とを備え、
前記製パン材料が水、小麦粉、イーストを含み、少なくとも前記水、前記小麦粉、前記イーストの順で前記パンケース内に投入された前記製パン材料を、前記混練羽根により混練する製パン機であって、
前記製パン材料が、更に、炊飯米を含み、
前記パンケース内に、前記水、前記小麦粉のうちの一部、前記炊飯米、前記小麦粉のうちの残りの他部、前記イーストの順で投入され、前記積層状態として、前記パンケースの底部から上方に向かって前記水、前記小麦粉のうちの一部、前記炊飯米、前記小麦粉のうちの残りの他部、前記イーストの順で積層され、前記パンケース内に配設された前記混練羽根の上端が、少なくとも前記水と前記小麦粉のうちの一部との境界面よりも上側に位置するように構成されてなる製パン機。
【請求項４】
前記回転軸の回転駆動を制御する制御部を備え、
前記制御部が、前記製パン材料が前記パンケース内に積層された前記積層状態において、タイマー予約による設定に応じた前記回転軸の駆動開始時間に前記回転軸の回転駆動を開始させて、前記混練羽根による前記製パン材料の混練工程を開始させる請求項１から３の何れか一項に記載の製パン機。
【発明の詳細な説明】
【技術分野】
【０００１】
本発明は、内部に製パン材料を収容するパンケースと、開口部を介して内部にパンケースを収容する本体と、パンケース内において底部から上方に突出する回転軸に一体的に取付けられ、回転軸周りで回転して製パン材料を混練する混練羽根とを備え、製パン材料が水、小麦粉、イーストを含み、少なくとも水、小麦粉、イーストの順でパンケース内に投入された製パン材料を、混練羽根により混練する製パン機に関する。
【背景技術】
【０００２】
このような製パン機では、制御部が、パンケース内に配設された混練羽根によりパンケース内に収容された製パン材料を混練する混練工程と、混練された製パン材料を発酵する発酵工程と、発酵した製パン材料を焼き上げる焼成工程とを、順次自動的に実行し、製パンする構成とされている（例えば、特許文献１参照）。
【０００３】
この特許文献１に記載の製パン機では、混練工程を行う前に、パンケース内に製パン材料としての水、小麦粉、イースト、その他の材料（塩、砂糖、油脂、スキムミルク）を投入する際には、水及び塩を先に投入して混合液とし、その後、この混合液に、小麦粉、砂糖、油脂、スキムミルク、イーストの順で投入する構成とされている。
これにより、水の上側に小麦粉を積層させ、その小麦粉の上側に砂糖、油脂、スキムミルク、イーストを積層させた積層状態を維持したまま所定時間放置した場合でも、水とイーストとの接触及び水と砂糖、油脂、スキムミルクとの接触を良好に防止でき、混練工程を行う前に、イーストが製パン材料を発酵させてしまうことや油脂等に雑菌が発生してしまうことを良好に防止できるとされる。
【先行技術文献】
【特許文献】
【０００４】
【特許文献１】特開昭６３−２４８３３４号公報
【発明の概要】
【発明が解決しようとする課題】
【０００５】
ここで、特許文献１に記載の製パン機において、パンケース内に製パン材料を上述の順で投入し、上記積層状態を維持させたまま長時間放置すると、混合液とこの混合液の上側に積層された小麦粉との境界部分には、混合液中の水を吸収し固化した固化層が形成される。しかしながら、パンケース内に配設された混練羽根は、その全体が混合液中に略水没するように配設されているので、混練工程において混練羽根を回転させても混合液中で回転するのみで当該固化層を十分に混練することが困難であった。そのため、当該固化層及びその上側に積層する小麦粉やイースト等が十分に混練されないまま混練工程が終了し、その後、発酵工程及び焼成工程に移行してパンが焼き上げられてしまう場合があった。
【０００６】
一方で、近年、炊飯器等で白米等を炊飯した炊飯米の有効活用や食感・食味の向上等を目的として、小麦粉に炊飯米を加えた製パン材料を用いて製パンする製パン機が登場している。このような製パン機では、パンケース内に製パン材料を投入する際には、水及び炊飯米を投入して炊飯米を予め十分にほぐした後、その上側に小麦粉、その他の材料（砂糖、塩、油脂等）、イーストの順で投入して積層させることが行われている。
【０００７】
ここで、パンケース内に当該積層状態を維持させたまま長時間放置すると、炊飯米が水を吸収し流動性が高い状態となる。しかしながら、特許文献１に記載の製パン機と同様に従来の製パン機では、パンケース内に配設された混練羽根は、その全体が水及び炊飯米が存在する流動性の高い液中に略水没するように構成されているので、混練工程において混練羽根を回転させても、当該混練羽根は流動性の高い液中で回転するのみで当該炊飯米の上側に積層する小麦粉やイースト等を十分に混練することが困難であった。そのため、炊飯米の上側に積層する小麦粉やイースト等が十分に混練されないまま混練工程が終了し、その後、発酵工程及び焼成工程に移行してパンが焼き上げられてしまう場合があった。
【０００８】
このように、小麦粉、炊飯米、イースト等の製パン材料が十分に混練されないまま、混練工程が終了し、発酵工程及び焼成工程に移行すると、所望の焼き上がり状態での製パンを実現することが非常に困難となる。
【０００９】
本発明は、かかる実情に鑑みてなされたものであり、その目的は、少なくとも水、小麦粉、イーストの順でパンケース内に製パン材料が投入される構成で、且つ、製パン材料として炊飯米を含む場合であっても、混練工程において混練羽根によりこれら製パン材料を十分に混練することができる製パン機を提供することにある。
【課題を解決するための手段】
【００１０】
上記目的を達成するための本発明に係る製パン機は、内部に製パン材料を収容するパンケースと、開口部を介して内部に前記パンケースを収容する本体と、前記パンケース内において底部から上方に突出する回転軸に一体的に取付けられ、当該回転軸周りで回転して前記製パン材料を混練する混練羽根とを備え、
前記製パン材料が水、小麦粉、イーストを含み、少なくとも前記水、前記小麦粉、前記イーストの順で前記パンケース内に投入された前記製パン材料を、前記混練羽根により混練する製パン機であって、その特徴構成は、
前記製パン材料が、更に、炊飯米を含み、
前記炊飯米が前記小麦粉の投入後であって前記イーストの投入前に前記パンケース内に投入されて、前記パンケースの底部から上方に向かって前記水、前記小麦粉、前記炊飯米、前記イーストの順で積層された積層状態で、前記パンケース内に配設された前記混練羽根の上端が、前記積層状態にある前記小麦粉と当該小麦粉の上方に積層された前記炊飯米との境界面よりも上側に位置するように構成されてなる点にある。
【００１１】
上記特徴構成によれば、基本的に、製パン材料が少なくとも水、小麦粉、炊飯米、イーストの順にパンケース内に投入され、パンケースの底部から上方に向かって水、小麦粉、炊飯米、イーストの順で積層された積層状態となるので、水と炊飯米とが直接接触せず、炊飯米が水を吸収して流動性が高くなることを防止でき、また、水とイーストとが直接接触せず、イーストが混練工程前に発酵を開始することを防止することができる。
また、パンケース内に規定量の製パン材料が上記積層状態で積層されると、パンケース内に配設された混練羽根の上端が、少なくとも水と小麦粉との境界面よりも上側に位置するように構成されているので、水と当該水の上側に積層された小麦粉との境界部分に水を吸収し固化した固化層が形成された場合でも、混練羽根が水の存在する部位のみで空回りすることがなく、しかも、当該固化層を混練羽根の回転に巻き込みながら混練することができ、当該固化層、さらには、その上側に積層する小麦粉、炊飯米、イースト等を十分に混練することができる。これにより、水の上側に浮かんだ状態で積層する小麦粉が水を吸収して固化層を形成した場合でも、混練工程が終了した際に固化層が残存していたり混練が不十分となることを良好に防止でき、混練工程において混練羽根により所望の状態にまで十分な混練を行うことができる。よって、十分に混練された製パン材料（パン生地）を発酵工程及び焼成工程に移行させて、所望の焼き上がり状態で製パンを行うことができる。
さらに、本特徴構成によれば、パンケース内に配設された混練羽根の上端が、積層状態にある小麦粉と当該小麦粉の上方に積層された炊飯米との境界面よりも上側に位置するように構成されているので、製パン材料として炊飯米を含んでいる場合でも、固化層を形成する小麦粉とともに炊飯米を混練羽根の回転に直接且つ確実に巻き込みながら混練することができ、当該固化層、その上側に積層する小麦粉、炊飯米、イースト等を十分且つ確実に混練することができる。
【００１２】
本発明に係る製パン機の更なる特徴構成は、前記パンケース内に、前記水、前記小麦粉のうちの一部、前記炊飯米、前記小麦粉のうちの残りの他部、前記イーストの順で投入され、前記積層状態として、前記パンケースの底部から上方に向かって前記水、前記小麦粉のうちの一部、前記炊飯米、前記小麦粉のうちの残りの他部、前記イーストの順で積層され、前記パンケース内に配設された前記混練羽根の上端が、少なくとも前記水と前記小麦粉のうちの一部との境界面よりも上側に位置するように構成されてなる点にある。
【００１３】
本特徴構成によれば、パンケース内に規定量の製パン材料が上記積層状態で積層されると、パンケース内に配設された混練羽根の上端が、少なくとも水と小麦粉のうちの一部との境界面よりも上側に位置するように構成されているので、水と当該水の上側に積層された小麦粉のうちの一部との境界部分に水を吸収し固化した固化層が形成された場合でも、混練羽根が水の存在する部位のみで空回りすることがなく、しかも、当該固化層を混練羽根の回転に巻き込みながら混練することができ、当該固化層、さらには、その上側に積層する小麦粉のうちの一部、炊飯米、小麦粉のうちの残りの他部、イースト等を十分に混練することができる。
特に、炊飯米の上方に小麦粉のうちの残りの他部が積層されているので、比較的水分を多く含む炊飯米が空気に直接接触し難い積層状態とすることができ、炊飯米が乾燥することを良好に防止することができる。
【００１４】
本発明に係る製パン機の更なる特徴構成は、前記回転軸の回転駆動を制御する制御部を備え、
前記制御部が、前記製パン材料が前記パンケース内に積層された前記積層状態において、タイマー予約による設定に応じた前記回転軸の駆動開始時間に前記回転軸の回転駆動を開始させて、前記混練羽根による前記製パン材料の混練工程を開始させる点にある。
【００１５】
上記特徴構成によれば、製パン材料がパンケース内に積層された前記積層状態において、回転軸の回転駆動を制御する制御部がタイマー予約による設定に応じた回転軸の駆動開始時間に回転軸の回転駆動を開始させて、混練羽根による製パン材料の混練工程を開始させるので、混練工程が開始されるまでの間に、水の上側に浮かんだ状態で積層する小麦粉がより多くの水を吸収してより厚みのある固化層を形成する虞のある状況であるが、このような状況であっても、上述の通り、混練羽根が水の存在する部位のみで空回りすることがなく、しかも、当該固化層を混練羽根の回転に巻き込みながら混練することができ、当該固化層、さらには、その上側に積層する小麦粉、炊飯米、イースト等を十分に混練することができる。なお、駆動開始時間は、タイマー予約の設定がされた後の任意の長さの時間が経過した時点或いは任意の時刻とすることができるが、例えば、使用者によるタイマー予約の設定がされた後、数時間から十数時間程度経過した時点又は時刻とすると、前日に製パン材料をパンケース内に投入し、その後、翌朝に製パンが完了するように構成することができる。
【図面の簡単な説明】
【００２０】
【図１】製パン機の外観を示す斜視図
【図２】製パン機の縦断側面視図
【図３】パンケース内に投入された製パン材料の積層状態を示す概略縦断側面視図
【発明を実施するための形態】
【００２１】
以下、図面に基づいて、本発明の実施形態を説明する。
図１及び図２に示すように、製パン機は、上方が開口部４にて開口したケーシングＣを内部に備えた本体１、開口部４を介してケーシングＣの内部に収容されて着脱自在に装着されるパンケース２、ケーシングＣの開口部４を閉塞可能で開閉自在な蓋体３、ケーシングＣと蓋体３とにより形成される加熱室５内を温度調整する電熱ヒータ６、電熱ヒータ６の運転を制御する制御部７等を備えて構成されている。
【００２２】
図２に示すように、本体１は、平面視において、前後方向に若干長尺の概ね長方形状で、上部が開口した有底箱状に形成されている。その本体１内における前後方向及び左右方向の略中央位置には、四隅が丸みを帯びた概ね正方形状で、上部が開口した有底箱状のケーシングＣが設けられている。そして、本体１内は概ね、ケーシングＣ内に形成される加熱室５と、ケーシングＣの前側（図２の左側）に形成される制御部収容室８と、それら加熱室５及び制御部収容室８の下方の伝動部収容室９との三区画に仕切られている。
【００２３】
ケーシングＣは、平面視で、矩形板状で中央部分に円形開口部（図示せず）を有する底板部材Ｃ１と、四隅が丸みを帯びた概ね正方形状で角筒状に形成され、底板部材Ｃ１の外周縁部に固定された周壁部材Ｃ２とを備えて構成されている。底板部材Ｃ１の下部には、本体１の底部に固定された縦断正面視で概略逆Ｕ字形状の土台部材１０が配設され、底板部材Ｃ１と土台部材１０とは、スペーサ部材１１により間隔を開けた状態でビス（図示せず）により固定されている（図２参照）。従って、有底箱状のケーシングＣと、後述する縦断側面視及び縦断正面視で上方に膨出する概略逆Ｕ字形状の蓋体３とにより区画形成された内部空間が加熱室５として形成され、この加熱室５内にパンケース２が収容されることとなる。
【００２４】
図２及び図３に示すように、パンケース２は、平面視において四隅が丸みを帯び前後方向に若干長尺の概ね長方形状で、上部が開口した有底箱状に形成され、パンケース２の底部の下方側には、パンケース２を載置支持するパンケース台１２が一体的に取り付けられている。パンケース２は、パンケース台１２が底板部材Ｃ１及びスペーサ部材１１に形成された円形開口部に嵌合した状態で、ケーシングＣ内（加熱室５内）に装着される。
【００２５】
パンケース２の底部には、パンケース側従動軸１３（回転軸の一例）が、上下方向の軸心Ｘ回りで回転自在に支持された状態で設けられ、パンケース側従動軸１３におけるパンケース２の底部から下方側に突出した突出部には、従動側連結具１４が固定されている。パンケース側従動軸１３におけるパンケース２内の底部から上方側に突出した部分には、混練羽根１５が一体的に且つ着脱自在に装着される。混練羽根１５は、パンケース側従動軸１３に挿通された状態で当該パンケース側従動軸１３と一体的に回転可能に支持される円筒状基部１５ａと、平面視で円筒状基部１５ａの外周面の一箇所から径方向外方に延びる板状の羽根体１５ｂを備えている。そして、この羽根体１５ｂの上部は、側面視で、概略への字状に形成されており、混練羽根１５がパンケース側従動軸１３に挿通された状態では、この羽根体１５ｂの上端１５ｃは、円筒状基部１５ａの上端よりも上側に突出するように形成されている。そして、混練羽根１５は、パンケース２内において、パンケース側従動軸１３（軸心Ｘ）周りで当該パンケース側従動軸１３とともに一体的に回転するように構成されている。
【００２６】
図２に示すように、本体１内のケーシングＣの下部に形成された伝動部収容室９には土台部材１０が配設され、当該土台部材１０には電動モータ３０とパンケース側従動軸１３とを伝動連結する伝動部２０が設けられている。
伝動部２０は、土台部材１０から上方及び下方に突出して回転自在に軸支された土台側従動軸２１と、土台側従動軸２１の上端に固定され当該土台側従動軸２１と一体的に回転自在なプーリ２２と、プーリ２２の上面から上方側に一体的に突出形成されてパンケース２の従動側連結具１４に係合自在な一対の突出部２３，２３と、電動モータ３０の駆動軸３０ａ及びプーリ２２にわたって巻回されたタイミングベルト２４とを備えて構成されている。これにより、パンケース２がケーシングＣ内に装着されたときに、電動モータ３０が回転すると、一対の突出部２３，２３が従動側連結具１４に係合して突出部２３，２３及び従動側連結具１４が一体的に回転し、パンケース側従動軸１３が回転駆動されるように構成されている。
【００２７】
図１及び図２に示すように、制御部収容室８は、ケーシングＣの周壁部材Ｃ２の前方側に、遮熱板（図示せず）を介した状態で形成されている。制御部収容室８内の下方側には、電熱ヒータ６や電動モータ３０等の作動を制御して、製パン機の運転を制御する制御部７が配設され、上方側には、使用者が製パン機の運転状態等を操作可能な操作部３１及び運転状態等を表示する表示部３２が配設されている。図示しないが、制御部７は、公知の情報処理手段であるＣＰＵやメモリ等を備えて構成され、また、電源から供給される電力を適切に各機器に供給可能に構成されており、少なくとも、制御部７が、パンケース２内に配設された混練羽根１５によりパンケース２内に収容された製パン材料を混練する混練工程と、混練された製パン材料を発酵する発酵工程と、発酵した製パン材料を焼き上げる焼成工程とを、順次自動的に実行し、製パンする構成とされている。
【００２８】
図１に示すように、操作部３１には、製パン機の運転開始及び停止（タイマー予約の開始及び停止を含む）を指令する運転キー３１Ａのほかに、指定された焼き上がり時刻で製パンを完了するようにタイマー予約するタイマー予約キー３１Ｂ、時刻合わせキー３１Ｃ、取消キー３１Ｄ、焼き上げコースを選択するコース選択キー３１Ｅ等が設けられている。また、表示部３２には、液晶パネルが配設され、操作部３１により指令された内容や、現在の製パン機の運転状態（例えば、タイマー予約された際の焼き上がり時刻）等を表示可能に構成されている。
【００２９】
図１及び図２に示すように、蓋体３は、ケーシングＣの開口部４の後縁部に、ヒンジ構造によりケーシングＣの左右方向（図２の紙面表裏方向）に沿った軸心周りに揺動自在に設けられて、その揺動によりケーシングＣの開口部４を開閉自在に構成されている。また、蓋体３は、上部に配設される外蓋３Ａと、下部に配設される内蓋としての遮熱板３Ｂと、外蓋３Ａと遮熱板３Ｂとの間に配設され、少なくとも可視光を透過して外部から加熱室５内を視認可能な耐熱板ガラス３Ｃからなる確認窓とを備える。
【００３０】
図２に示すように、電熱ヒータ６は、長尺状で屈曲したいわゆるシーズヒータで構成され、ケーシングＣの底板部材Ｃ１の上面において周壁部材Ｃ２の内壁に沿うように配設されている。すなわち、加熱室５内の下部に（パンケース２の下部において、パンケース２の側壁面を外周側から所定間隔を空けて囲繞する形態で）配設されて、加熱室５内、特に、加熱室５内の下部、パンケース２の下部及び側部を加熱できるように構成されている。なお、電熱ヒータ６は、加熱室５内を加熱して、パンケース２内の製パン材料を良好に加熱可能であれば、加熱室５内の適宜位置に配設することができる。
【００３１】
次に、本願に係る製パン機及びその製パン機への材料投入方法の特徴的構成について説明する。
【００３２】
まず、本願では、製パン材料としては、少なくとも水、強力粉（小麦粉の一例）、白米を炊飯した白ご飯（炊飯米の一例）、ドライイースト（イースト（酵母菌）の一例）を用いる。本実施形態では、これらに加えて、バター（油脂の一例）、塩及び砂糖（調味料等の一例）を加えたものを用いる。
なお、本願では、炊飯米とは、白米、玄米、もち米、雑穀等、或いはそれらの混合物を、水分を吸収させつつ加熱して適度にα化（糊化）させるように炊飯したものをいい、例えば、白米が炊飯されたもの（いわゆる白ご飯）、玄米が炊飯されたもの、白米に稗等の雑穀を混ぜ込んで炊飯されたもの、白米及びもち米、更には、小豆を混ぜ込んで炊飯されたもの等を例示することができる。
【００３３】
次に、図３に示すように、制御部７が混練工程を実行する前には、使用者が蓋体３を開き、ケーシングＣの開口部４を介して取り外したパンケース２内に混練羽根１５を装着した後、パンケース２内に、少なくとも水、強力粉のうちの半量である第１強力粉（小麦粉のうちの一部）、白ご飯、強力粉のうちの残りの半量である第２強力粉（小麦粉のうちの残りの他部）、塩、砂糖、バターの順で投入し、最後に、ドライイーストを中央部に投入する。すなわち、白ご飯が第１強力粉の投入後であってドライイーストの投入前にパンケース２内に投入されて、パンケース２内における各製パン材料は、底部から上方に向かって水、第１強力粉、白ご飯、第２強力粉、塩、砂糖、バター、更に、ドライイーストの順で積層された積層状態となる。この積層状態では、水の上側に浮かんだ状態で積層する第１強力粉の上側には白ご飯が積層され、この白ご飯の上側には第２強力粉が積層されている。なお、パンケース２内に投入される各製パン材料は、後述するように、それぞれ予め規定量が定められている。また、図３では、水、第１強力粉、白ご飯、第２強力粉、塩、砂糖、バターの各層は、積層状態の概略イメージを示すために略水平な境界面を備えるように図示されているが、実際には、水平ではなく、凹凸状の面部分や傾斜した面部分が複数形成された境界面となっている。
【００３４】
このようにパンケース２内の製パン材料が上記積層状態となると、パンケース２内に配設された混練羽根１５の羽根体１５ｂの上端１５ｃが、第１強力粉と白ご飯との境界面よりも上側に位置するように構成されている。
すなわち、本実施形態では、一斤分のパンを焼き上げるために、規定量の製パン材料としてそれぞれ、水を１４０ｍｌ（５℃程度）、白ご飯を１５０ｇ（２０℃程度）、強力粉を２５０ｇ（第１強力粉１２５ｇ、第２強力粉１２５ｇ）、砂糖を１６ｇ、塩を５ｇ、バターを１５ｇ、ドライイーストを３ｇとしてパンケース２内に投入すると、混練羽根１５の羽根体１５ｂの上端１５ｃが第１強力粉と白ご飯との境界面よりも上側に位置するように、これら各製パン材料の投入量、パンケース２内の底部の容積、及び混練羽根１５の羽根体１５ｂの上端１５ｃがパンケース２の底部から突出する突出高さ等が適切に設定されている。
【００３５】
そして、このパンケース２内の製パン材料が上記積層状態を維持したまま、使用者がパンケース２をケーシングＣ内に装着し蓋体３を閉じた後、コース選択キー３１Ｅを操作してご飯パンを焼き上げるコースに設定し、さらに、タイマー予約キー３１Ｂ及び時刻合わせキー３１Ｃを操作して焼き上がり時刻を設定して（タイマー予約して）、運転キー３１Ａを操作する。
すると、制御部７は、運転キー３１Ａが操作された後、タイマー予約により設定された焼き上がり時刻から逆算して混練工程を開始すべき駆動開始時刻（タイマー予約による設定に応じたパンケース側従動軸１３の回転駆動を開始させる駆動開始時間の一例）を導出し、当該駆動開始時刻となるまで待機し、当該駆動開始時刻になると、電動モータ３０を作動させパンケース側従動軸１３の回転駆動を開始させて、混練羽根１５による製パン材料の混練工程を開始させ、その後、順次、発酵工程及び焼成工程を実行して、設定された焼き上がり時刻に製パンを完了させる。本実施形態では、駆動開始時刻は、運転キー３１Ａが操作された後、タイマー予約により設定された焼き上がり時刻から逆算した混練工程を開始すべき時刻である。なお、運転キー３１Ａが操作された後、駆動開始時刻となるまでの時間の長さは、製パンが完了する前日に製パン材料をパンケース２内に投入し、その後、翌朝に製パンが完了するように、数時間から十数時間程度の長さの時間とすることができ、本実施形態では、１０時間となっていた。
【００３６】
この場合、パンケース２内の製パン材料は、上記積層状態を維持し、混練工程が開始される駆動開始時刻となるまでの間に、水の上側に浮かんだ状態で積層する第１強力粉が多くの水分を吸収して、水と第１強力粉との境界部分に比較的厚みの厚い固化層が形成されることとなる。なお、上述に記載した規定量（所定の体積比や質量比）の製パン材料を用いて、上記パンケース２内の製パン材料を上記積層状態とした場合には、パンケース２内に製パン材料を投入した初期から混練工程が開始される（駆動開始時刻となる）までの間（例えば、１０時間、或いは、２２時間経過した場合）でも、当該固化層は若干下方に移動する傾向はあるものの、水と第１強力粉との境界部分には固化層を形成した状態で積層状態が維持されたままとなることが確認されている。
【００３７】
従って、制御部７は、混練工程を開始すべき駆動開始時刻になり、混練羽根１５の羽根体１５ｂの上端１５ｃが、水と第１強力粉との境界部分に形成された固化層よりも上側で、しかも、第１強力粉と白ご飯との境界面よりも上側に位置する状態で、当該混練羽根１５を設定された回転速度で回転させることで、混練羽根１５が水の存在する部位のみで空回りすることがなく、しかも、固化層を形成する第１強力粉とともに白ご飯を混練羽根１５の回転に直接且つ確実に巻き込みながら混練することができ、当該固化層、その上側に積層する第１強力粉、白ご飯、第２強力粉、ドライイースト等を十分且つ確実に混練することができる。また、基本的に、上記積層状態では、水と白ご飯とが直接接触せず、白ご飯が水を吸収して流動性が高くなることを防止でき、また、水とドライイーストとが直接接触せず、ドライイーストが混練工程前に発酵を開始することを防止することができる。
加えて、白ご飯の上方に第２強力粉が積層されているので、比較的水分を多く含む白ご飯が空気に直接接触しないように積層することができ、白ご飯が乾燥することを良好に防止することができる。
【００３８】
そして、制御部７は、混練工程において十分且つ確実に混練されたパンケース２内の製パン材料（パン生地）を、電熱ヒータ６を加熱作動させて発酵させる発酵工程を実行し、さらに、電熱ヒータ６を加熱作動させて焼き上げる焼成工程を順次自動的に実行する。
よって、少なくとも水、小麦粉、ドライイーストの順でパンケース２内に製パン材料が投入される構成で、且つ、製パン材料として白ご飯（炊飯米）を含む場合であっても、混練工程において混練羽根１５によりこれら製パン材料を十分に混練することができ、その後の発酵工程及び焼成工程を経て、所望の焼き上がり状態での製パンを実現することができる。
【００３９】
〔別実施形態〕
（Ａ）上記実施形態では、パンケース２内に、水、第１強力粉、白ご飯、第２強力粉、塩、砂糖、バター、ドライイーストの順で積層させて積層状態とする際、混練羽根１５の羽根体１５ｂの上端１５ｃが第１強力粉と白ご飯との境界面よりも若干上側に位置するように、製パン材料の規定量（体積比や質量比）、パンケース２内の底部の容積、及び混練羽根１５の羽根体１５ｂの上端１５ｃがパンケース２の底部から突出する突出高さ等を適切に設定したが、製パン材料を確実且つ十分に混練することができる構成であれば、混練羽根１５の羽根体１５ｂの上端１５ｃが、水と第１強力粉との境界面よりも若干上側に位置するように適宜設定することもできる。
【００４０】
（Ｂ）上記実施形態では、強力粉のうち第１強力粉を水の上側に積層させ、第２強力粉を、第１強力粉の上側に積層された白ご飯の上側に積層させたが、白ご飯の乾燥が防止できる或いは乾燥を考慮しなくてよいのであれば、第２強力粉と第１強力粉とを分けることなく両者をまとめて、水の上側に直接積層させる構成としてもよい。また、第１強力粉及び第２強力粉をそれぞれ、強力粉の全量の半量で構成する場合に限らず、適宜体積比及び質量比を変更してもよい。
なお、上記実施形態では、小麦粉として強力粉を例にして説明したが、上述のように、水と小麦粉との境界部分に固化層が形成されて混練が適切に行われない可能性がある場合には、強力粉以外の小麦粉を使用した際でも、混練工程における十分な混練を期待することができる。
【００４１】
（Ｃ）上記実施形態では、パンケース２内に、白ご飯或いは第２強力粉を投入した後に、塩、砂糖、バターを投入する構成としたが、少なくとも、水、強力粉、白ご飯の順で投入される構成であれば、投入順序は適宜変更しても構わない。例えば、水、バター、強力粉、塩及び砂糖、白ご飯、イーストの順で投入したり、水、強力粉、バター、塩及び砂糖、白ご飯、イーストの順で投入する構成とすることもできる。
【００４２】
（Ｄ）また、上記製パン材料以外の材料、例えば、スキムミルク等の乳製品、ナッツ類、ドライフルーツ等を、使用者が手動で、或いは、蓋体３の下部に設けた自動投入機構（図示せず）を利用して、パンケース２内に適宜タイミングで投入する構成としてもよい。さらに、パンケース２内に製パン材料を投入する際、イースト以外の製パン材料を投入した直後に、イーストを投入する構成としてもよいし、自動投入機構を利用して混練工程の開始直前或いは混練工程の開始直後にイーストを自動的に投入する構成としてもよい。
【００４３】
（Ｅ）上記実施形態では、使用者がタイマー予約キー３１Ｂを操作してタイマー予約により焼き上がり時刻を設定し、制御部７が、この焼き上がり時刻から逆算してパンケース側従動軸１３の回転駆動を開始させる（混練工程を開始する）駆動開始時間としての駆動開始時刻を導出し、当該駆動開始時刻になるとパンケース側従動軸１３の回転駆動を開始させる（混練工程を開始する）構成としたが、制御部７は、タイマー予約による設定に応じて、その他の駆動開始時間を導出し、その駆動開始時間にパンケース側従動軸１３の回転駆動を開始させることもできる。
例えば、使用者がタイマー予約キー３１Ｂを操作してタイマー予約により焼き上がりまでの経過時間を設定すると、制御部７が、焼き上がりまでの経過時間から逆算して駆動開始時間としての駆動開始時刻を導出し、駆動開始時刻になると、パンケース側従動軸１３の回転駆動を開始させる（混練工程を開始する）構成とすることもできる。同様に、制御部７が、この焼き上がりまでの経過時間から逆算して駆動開始時間としての駆動開始時点を導出し、さらに、駆動開始時点となるまでの時間を導出して、当該時間が経過すると駆動開始時点になったものとして、パンケース側従動軸１３の回転駆動を開始させる（混練工程を開始する）構成とすることもできる。
また、例えば、使用者がタイマー予約キー３１Ｂを操作してタイマー予約により駆動開始時刻を設定すると、制御部７が、駆動開始時刻になるとパンケース側従動軸１３の回転駆動を開始させる（混練工程を開始する）構成としてもよく、或いは、使用者がタイマー予約キー３１Ｂを操作してタイマー予約により駆動開始までの経過時間を設定すると、制御部７が、当該経過時間が経過すると駆動開始時点になったものとして、パンケース側従動軸１３の回転駆動を開始させる（混練工程を開始する）構成としてもよい。
【００４４】
（Ｆ）上記実施形態では、タイマー予約により、制御部７が混練工程を駆動開始時間に開始する構成について説明したが、タイマー予約されず、製パン材料がパンケース２内に投入された後、適宜タイミングで混練工程を開始する場合でも、本願の発明を適用して混練羽根１５により製パン材料の十分且つ確実な混練を実現することができる。
【００４５】
（Ｇ）上記実施形態では、パンケース２内に少なくとも炊飯米が含まれる際には、水、小麦粉、炊飯米、イーストの順で投入し積層構造を形成して、コース選択キー３１Ｅを操作してご飯パンを焼き上げるコースに設定して、混練工程、発酵工程及び焼成工程を実行する構成としたが、本願の製パン機では、これに加えて、炊飯米が含まれない製パン材料（少なくとも水、小麦粉、イーストが含まれる）を使用する際には、コース選択キー３１Ｅを操作して小麦粉パンを焼き上げるコースに設定し、混練工程、発酵工程及び焼成工程を実行する機能を併せ持つことも可能である。
【産業上の利用可能性】
【００４６】
以上説明したように、少なくとも水、小麦粉、イーストの順でパンケース内に製パン材料が投入される構成で、且つ、製パン材料として炊飯米を含む場合であっても、混練工程において混練羽根によりこれら製パン材料を十分に混練することができる製パン機を提供することができる。
【符号の説明】
【００４７】
１      本体
２      パンケース
４      開口部
７      制御部
１３    パンケース側従動軸（回転軸）
１５    混練羽根
１５ｃ  上端（混練羽根）
【図１】
0005800751.tif 000002
【図２】
0005800751.tif 000003
【図３】
0005800751.tif 000004